(57)【特許請求の範囲】
【請求項１】
充電池と、
前記充電池に接続され、前記充電池の電圧測定を行う電圧測定部と、
各種の情報を報知する報知部と、
電圧値ごとに重み付け値を記憶する記憶部と、
前記充電池に対して充電の開始及び充電の終了が生じる度に、前記電圧測定部にて前記充電池の電圧を測定し、充電開始前に測定された電圧値に対応する第１の重み付け値を前記記憶部から抽出し、充電終了後に測定された電圧値に対応する第２の重み付け値を前記記憶部から抽出し、抽出された第１の重み付け値及び第２の重み付け値を順次加算することにより充電回数情報を特定して前記記憶部に記憶する制御部とを備え、
前記制御部は、前記記憶部に記憶された前記充電回数情報に基づいて、前記充電池の寿命に関する情報を前記報知部により報知させることを特徴とする携帯電子機器。
【請求項２】
前記制御部は、前記充電池への充電を行う充電器の接続状態を検出し、当該接続状態に基づいて、前記充電池が前記充電器に装着されたこと及び前記充電池が前記充電器から取り外されたことを検出することにより、前記充電池に対する充電の開始及び充電の終了を判別することを特徴とする請求項１に記載の携帯電子機器。
【請求項３】
前記報知部は、前記充電回数情報に基づいて前記充電池の寿命情報を表示する表示部を有することを特徴とする請求項１に記載の携帯電子機器。
【請求項４】
所定の操作により、前記記憶部に記憶される前記充電回数情報を初期化するように前記制御部に要求する操作部を備え、
前記記憶部は、初期化されない領域を有しており、
前記制御部は、前記操作部により初期化の要求が行われたとき、前記充電回数情報と同一の情報を前記初期化されない領域に複写するとともに、前記寿命情報の表示を初期化することを特徴とする請求項３記載の携帯電子機器。
【発明の詳細な説明】
【技術分野】
【０００１】
本発明は、充電池が装着される携帯電子機器に関し、詳細には、充電池の寿命情報を報知する携帯電子機器に関する。
【背景技術】
【０００２】
現在、携帯電話用の電池としては、リチウムイオン電池が主流であるが、今後ますます携帯端末の小型、軽量化、かつ、高機能化（デジタルテレビの連続視聴や、音楽連続再生、ＷＥＢ閲覧等）により、電池の充放電サイクルが、早くなり、結果として、携帯端末の使用期間に対し、電池の寿命が短い傾向になることが予想される。
【０００３】
ここで、電池の寿命を検出する方法としては、電池のインピーダンス値の変化により電池の寿命を判断する方法（例えば、特許文献１を参照。）や、充放電カーブに関する関数を保存しておき、充放電時に劣化値を重み付けして計算することにより電池の寿命を判断する方法（例えば、特許文献２を参照。）がある。
【０００４】
また、一般的に電池の寿命とは、電池製造メーカにより規定されており、例えば、約５００〜６００回の充放電によって初期容量のおよそ５〜６割程度まで低下した時点の状態ことをいい、この状態を超えた場合には、内部抵抗の上昇等により、携帯端末の動作に対して所期の動作を担保できなくなる。
【０００５】
したがって、携帯端末の所期の動作を担保するために、使用者に対して、正確かつ明確に電池の寿命を報知する必要がある。
【特許文献１】特開平０５−７４５０１号公報
【特許文献２】特開２００４−２６４３０３号公報
【発明の開示】
【発明が解決しようとする課題】
【０００６】
ところで、特許文献１によれば、内部インピーダンスの状態から、サイクル数の換算を行い、寿命を導き出す方法が提案されているが、携帯端末においては、電流を測定する回路を持たない場合も多く、このような複雑な制御を行うことは困難である。
【０００７】
また、特許文献２によれば、充電と放電の重み付けにより、劣化の度合いが変わってくるので、この度合いに基づいて電池の劣化を表示する方法が提案されているが、具体的なシステム構成や検出方法等が記載されておらず、携帯端末の所期の動作を担保するために、使用者に対して、正確かつ明確に電池の寿命を報知することは困難である。
【０００８】
このようにして、これらの特許文献に提示されている技術を転用しても、携帯端末の電池の寿命を正確かつ明確に表示することは困難であるといえる。
【０００９】
また、携帯端末の電池の寿命を正確かつ明確に表示できない場合には、使用者自身が電池の寿命を判断することになり、携帯端末の使用上、快適さに欠けてしまう。
【００１０】
本発明では、上述のような課題に鑑みてなされたものであり、その目的の一つは、簡易な構成により、コストの増大を伴わずに、電池の寿命を正確かつ明確に表示することができる携帯電子機器を提供することにある。
【課題を解決するための手段】
【００１１】
本発明に係る携帯電子機器は、上記課題を解決するために、充電池と、前記充電池に接続され、前記充電池の電圧測定を行う電圧測定部と、各種の情報を報知する報知部と、電圧値ごとに重み付け値を記憶する記憶部と、前記充電池に対して充電の開始及び充電の終了が生じる度に、前記電圧測定部にて前記充電池の電圧を測定し、充電開始前に測定された電圧値に対応する第１の重み付け値を前記記憶部から抽出し、充電終了後に測定された電圧値に対応する第２の重み付け値を前記記憶部から抽出し、抽出された第１の重み付け値及び第２の重み付け値を順次加算することにより充電回数情報を特定して前記記憶部に記憶する制御部とを備え、前記制御部は、前記記憶部に記憶された前記充電回数情報に基づいて、前記充電池の寿命に関する情報を前記報知部により報知させることを特徴とする。
【００１２】
また、前記携帯電子機器では、前記制御部は、前記充電池への充電を行う充電器の接続状態を検出し、当該接続状態に基づいて、前記充電池が前記充電器に装着されたこと及び前記充電池が前記充電器から取り外されたことを検出することにより、前記充電池に対する充電の開始及び充電の終了を判別することが好ましい。
【００１３】
また、前記携帯電子機器では、前記報知部は、前記充電回数情報に基づいて前記充電池の寿命情報を表示する表示部を有することが好ましい。
【００１４】
また、前記携帯電子機器では、所定の操作により、前記記憶部に記憶される前記充電回数情報を初期化するように前記制御部に要求する操作部を備え、前記記憶部は、初期化されない領域を有しており、前記制御部は、前記操作部により初期化の要求が行われたとき、前記充電回数情報と同一の情報を前記初期化されない領域に複写するとともに、前記寿命情報の表示を初期化することが好ましい。
【発明の効果】
【００１５】
本発明によれば、電池の寿命を正確かつ明確に表示することができる。
【発明を実施するための最良の形態】
【００１６】
以下、本発明の実施の形態について説明する。
【００１７】
図１は、本発明に係る携帯電子機器の一例である携帯電話装置１の外観斜視図を示す。なお、以下では、携帯電話装置について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００１８】
携帯電話装置１は、操作部側筐体部２と、表示部側筐体部３と、を備えて構成される。操作部側筐体部２は、表面部１０に、操作キー群１１と、使用者が通話時に発した音声が入力されるマイク１２と、を備えて構成される。操作キー群１１は、各種設定や電話帳機能やメール機能等の各種機能を動作させるための機能設定操作ボタン１３と、電話番号の数字やメール等の文字等を入力するための入力操作ボタン１４と、各種操作における決定やスクロール等を行う決定操作ボタン１５と、から構成されている。
【００１９】
また、表示部側筐体部３は、表面部２０に、各種情報を表示するためのディスプレイ２１と、通話の相手側の音声を出力する音声出力部２２と、を備えて構成されている。
【００２０】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とが互いに開いた状態（開放状態）にしたり、操作部側筐体部２と表示部側筐体部３とが折り畳まれた状態（折畳み状態）にしたりできる。
【００２１】
なお、図１は、いわゆる折り畳み型の携帯電話装置の形態を示しているが、本発明に係る携帯電話装置の形態としては特にこれに限られず、操作部側筐体部２と表示部側筐体部３とを重ね合わせた状態から一方の筐体を一方向にスライドさせるようにしたスライド式や、操作部側筐体部２と表示部側筐体部３との重ね合せ方向に沿う軸線を中心に一方の筐体を回転させるようにした回転式（ターンタイプ）等であっても良い。
【００２２】
また、図２は、操作部側筐体部２の一部を分解した斜視図を示している。操作部側筐体部２は、図２に示すように、回路基板３０と、リアケース部３１と、充電可能な電池である充電池３２と、充電池カバー３３と、によって構成されている。
【００２３】
回路基板３０は、所定の演算処理を行うＣＰＵ等の素子（後述するシステムＩＣ６４に相当）が実装されており、表面部１０上の操作キー群１１が使用者により操作が行われたときに、所定の信号がＣＰＵに供給される。また、回路基板３０には、電池端子４６が実装されている。
【００２４】
リアケース部３１は、ヒンジ機構４を固定するヒンジ機構固定部３１Ａと、所定の使用周波数帯により通信を行うメインアンテナ７０を収納するメインアンテナ収納部３１Ｂと、充電池３２を格納する充電池格納部３１Ｃと、を備えている。
【００２５】
＜充電池３２の特性＞
ここで、充電池３２の特性について説明する。例えば、充電池３２がリチウムイオン電池の場合には、一般的に、約５００サイクル程度の充電・放電動作により、容量が約６０パーセント程度にまで低下する。また、容量が約６０パーセント程度にまで低下した状態を電池寿命という。なお、充電池３２は、電池寿命に達した状態であっても、まだ使用可能な状態ではあるが、このような状態においては、インピーダンスも上昇しており、所期の性能を発揮するのは困難な状況になっている。また、容量が約６０パーセント未満に達した後は、容量が加速度的に低下してゆく（図３を参照。）。
【００２６】
したがって、充電池３２の充放電の回数をカウントし、そのカウントに応じて電池寿命を使用者に報知することが望まれるが、新たに充電池３２の充放電の回数をカウントするための回路を追加すると、コストの増加を招いてしまう。そこで、本発明では、新たに回路を追加することなく、充電池３２の充放電の回数を簡易にカウントし、このカウントに応じて充電池３２の寿命を正確かつ明確に使用者に報知する構成及び方法を提案する。
【００２７】
＜携帯電話装置１の機能ブロック＞
また、図４は、携帯電話装置１の機能を示す機能ブロック図である。携帯電話装置１は、図４に示すように、メインアンテナ７０と、メインアンテナ７０に接続されている送受信処理ブロック６０と、各種情報を表示するためのディスプレイ２１（報知部）と、通話の相手側の音声を出力する音声出力部２２（報知部）と、商用電源に接続され、ＡＣアダプタが接続される外部電源接続部６１と、外部電源接続部６１に接続されるスイッチ部６２と、メモリ６３と、システムＩＣ６４（制御部、電圧測定部）と、充電池３２と、操作キー群１１と、を備える。
【００２８】
メインアンテナ７０は、所定の使用周波数帯（例えば、８００ＭＨｚ）で外部装置（基地局）と通信を行う。なお、本実施の形態では、所定の使用周波数帯として、８００ＭＨｚとしたが、これ以外の周波数帯であっても良い。また、メインアンテナ７０は、所定の使用周波数帯の他に、他の使用周波数帯（例えば、２ＧＨｚ）に対応できる、いわゆるデュアルバンド対応型による構成であっても良いし、さらに、３つ以上の使用周波数帯にも対応できる複数バンド対応型により構成されていても良い。
【００２９】
送受信処理ブロック６０は、メインアンテナ７０によって受信した信号をローノイズアンプにより増幅し、増幅後の信号を復調処理し、処理後の信号をシステムＩＣ６４に供給し、また、システムＩＣ６４から供給された信号を変調処理し、変調処理後の信号をパワーアンプにより増幅し、増幅後の信号をメインアンテナ７０から外部装置（基地局）に送信する。
【００３０】
ディスプレイ２１及び音声出力部２２は、使用者に対して各種情報を視覚的、聴覚的に報知する報知部としての役割を担っている。
【００３１】
外部電源接続部６１は、商用電源から供給される交流電圧を直流電圧に変換するＡＣアダプタ（充電器）１００が接続される。
【００３２】
スイッチ部６２は、例えば、ＦＥＴにより構成されており、また、外部電源接続部６１とシステムＩＣ６４の中間に設けられており、システムＩＣ６４の制御信号（充電コントロール信号）にしたがって、外部電源接続部６１とシステムＩＣ６４が電気的に遮断（ＯＦＦ）状態又は導通（ＯＮ）状態に切り替えられる。
【００３３】
メモリ６３は、不揮発性記憶媒体であって、例えば、図４に示すように、充電率と放電率を記憶する領域である第１の領域６３Ａと、サイクル数のカウント値（充電・放電回数情報）が記憶され、使用者の操作にしたがって書込消去が可能な領域である第２の領域６３Ｂと、サイクル数のカウント値が記憶され、使用者の操作にしたがって消去が不可能な領域である第３の領域６３Ｃとにより構成されている。なお、第３の領域６３Ｃは、使用者によるアクセスは一切行うことができない領域であるが、ショップ（事業者側）等では、自由にアクセスができるように構成されている。
【００３４】
システムＩＣ６４は、ＲＯＭ、ＲＡＭ、ＡＬＵ（Ａｒｉｔｈｍｅｔｉｃ  ａｎｄ  Ｌｏｇｉｃ  Ｕｎｉｔ）、クロック信号生成部、Ａ／Ｄコンバータ部、複数のＩ／Ｏポート等を備えている。
【００３５】
また、システムＩＣ６４は、充電器１００が外部電源接続部６１に接続されているか否かを判断し、また、充電コントロール信号によりスイッチ部６２のスイッチング動作を制御する。また、システムＩＣ６４は、充電池３２の電圧測定を行う電圧測定部としての機能や、充電池３２による充電・放電回数をカウントする機能を有している。
【００３６】
また、システムＩＣ６４は、操作キー群１１により初期化の要求が行われたとき、メモリ６３の第２の領域６３Ｂに書き込まれているサイクル数のカウント値と同一の情報を初期化されない領域である第３の領域６３Ｃに複写するとともに、寿命情報の表示を初期化する構成であっても良い。
【００３７】
また、システムＩＣ６４は、操作キー群１１が接続されており、操作キー群１１から供給される操作信号に応じて、所定の動作を行う。
【００３８】
ここで、システムＩＣ６４による制御について説明する。システムＩＣ６４は、充電池３２に対して充電の開始及び充電の終了が生じる度に、充電池３２の電圧を測定し、測定された電圧値に対応する重み付け値をメモリ６３から抽出し、抽出された重み付け値を順次加算することにより充電回数情報を特定してメモリ６３に記憶する。また、システムＩＣ４３は、記憶部４２に記憶された充電回数情報に基づいて、充電池３２の寿命に関する情報をディスプレイ２１や音声出力部２２により報知させる。
【００３９】
このように構成されることにより、簡易な構成により、コストの増大を伴わずに、充電池３２の寿命を正確かつ明確に使用者に提示することができる。
【００４０】
つぎに、システムＩＣ６４の機能（充電池３２による充電・放電回数をカウントする機能）について説明する。
【００４１】
システムＩＣ６４は、充電池３２の電圧状態を測定することにより、充電池３２による充電・放電のサイクル数をカウントする。システムＩＣ６４は、例えば、充電器１００に電気的に接続された時には、充電開始前の充電池３２の電池電圧（劣化による第１の重み付け係数Ｘが加味される）を測定することにより放電回数をカウントし、また、充電器１００から電気的に切り離された時には、充電終了後の充電池３２の電池電圧（劣化による第２の重み付け係数Ｙが加味される）を測定することにより充電回数をカウントする。
【００４２】
つぎに、第１の重み付け係数Ｘ及び第２の重み付け係数Ｙについて説明する。なお、第１の重み付け係数Ｘ及び第２の重み付け係数Ｙは、メモリ６３等の記憶部に記憶されており、充電・放電回数をカウントする際に参照される。
【００４３】
第１の重み付け係数Ｘは、例えば、図５にしたがって、
（充電開始直前の電池電圧  →  第１の重み付け係数Ｘ）、
（４．２０Ｖ以上  →  ０回）、
（４．００Ｖ  →  ０．１回）、
（３．８８Ｖ  →  ０．２回）、
（３．８３Ｖ  →  ０．３回）、
（３．７７Ｖ  →  ０．４回）、
（３．７３Ｖ  →  ０．５回）、
（３．６９Ｖ  →  ０．６回）、
（３．６７Ｖ  →  ０．７回）、
（３．６５Ｖ  →  ０．８回）、
（３．６０Ｖ  →  ０．９回）、
（３．３０Ｖ  →  １．０回）、
のように決定される。なお、図５は、放電電圧に対する容量率の変化の様子を示している。
【００４４】
また、第２の重み付け係数Ｙは、例えば、図６にしたがって、
（充電完了直後の電池電圧  →  第２の重み付け係数Ｙ）、
（３．６０Ｖ  →  ０回）、
（３．８０Ｖ  →  ０．１回）、
（３．８４Ｖ  →  ０．２回）、
（３．８８Ｖ  →  ０．３回）、
（３．９２Ｖ  →  ０．４回）、
（３．９５Ｖ  →  ０．５回）、
（３．９８Ｖ  →  ０．６回）、
（４．０２Ｖ  →  ０．７回）、
（４．０５Ｖ  →  ０．８回）、
（４．１０Ｖ  →  ０．９回）、
（４．２０Ｖ  →  １．０回）、
のように決定される。なお、図６は、充電電圧に対する充電率の変化の様子を示している。
【００４５】
つぎに、充電池３２による充電・放電のサイクル回数のカウント方法（電池寿命の算定方法）について説明する。使用者は、携帯電話装置１を充電器１００にセットして、充電池３２が満充電になるまで充電し、その後、充電池３２が空になるまで使用するような場合においては、単純に充電・放電の回数を一回ずつカウントアップしていけば電池寿命を算定することができるが、実際には、充電途中で充電を止めたり、また、充電池３２が満充電状態にあるのに、充電を開始したりする場合がある。このような場合においては、正確に充電・放電の回数をカウントすることが困難となる。
【００４６】
本発明では、このような使用状態において、充電池３２による充電・放電のサイクル数のカウント値に上述した第１の重み付け係数Ｘ及び第２の重み付け係数Ｙを用いることにより、正確に充電・放電のサイクル数をカウントすることができる。
【００４７】
例えば、本発明では、図７に示すように、システムＩＣ６４により第１の重み付け係数Ｘ及び第２の重み付け係数Ｙを加味して、充電回数と放電回数とをカウントし、１回分のサイクル動作を経過した時点で、所定の電池寿命の回数（例えば、５００回）から１回分を減算し、その旨をディスプレイ２１や音声出力部２２を利用して使用者に報知する。なお、図７中の「○」は、充電器１００から携帯電話装置１が取り外された場合（充電終了直後）の電圧残量の確認を行うタイミングを示し、図７中の「□」は、携帯電話装置１が充電器１００に取り付けられた場合（充電開始直前）の電池残量の確認を行うタイミングを示している。
【００４８】
このようにして、初回使用時から、本発明に係る充電池３２による充電・放電のサイクル回数の換算が行われ、充電・放電ともに若しくは一方が、所定の電池寿命の回数（例えば、５００回）を使用した場合、電池の寿命であると判断し、使用者に対し、充電池３２の交換等を促す報知を行う。
【００４９】
なお、採用される充電地によって、充電・放電のサイクル寿命に長短の違いがあるため、採用される充電池に適合した充電回数を設定する必要がある。
【００５０】
つぎに、上述した充電池３２による充電・放電のサイクル回数のカウント方法及び電池寿命の報知方法について、図８及び図９に示すフローチャートを参照しながら説明する。
【００５１】
ステップＳ１において、システムＩＣ６４は、主電源がＯＮ状態になったかどうかを判断する。主電源がＯＮ状態になっていると判断した場合（Ｙｅｓ）には、ステップＳ２に進む。
【００５２】
ステップＳ２において、システムＩＣ６４は、ディスプレイ２１にサイクル回数（カウント）の初期設定を確認する表示を行う。ここで、図１０に本工程においてディスプレイ２１に表示される画面の様子を示す。ディスプレイ２１の上端部に、通常の電池残量を大雑把に示すピクト表示２１ａに並べて、正確かつ明確に電池寿命を示すピクト表示２１ｂを行い、ピクト表示２１ｂの傍らの文字表示領域２１ｃに電池寿命としての残り何回まで本来の充電能力を発揮できるのかを示すように、例えば、「残り３９８回」なる文字表示を行う。また、ディスプレイ２１の所定の領域２１ｄには、例えば、「電源が入りました。サイクル寿命のカウントを初期化しますか？」等の表示を行うことが可能であり、使用者に選択を促す。
【００５３】
ステップＳ３において、システムＩＣ６４は、サイクル数のカウント値の初期化要求があったか否かを判断する。サイクル数のカウント値の初期化要求があったと判断した場合（Ｙｅｓ）には、ステップＳ５に進み、サイクル数のカウント値の初期化要求がなかったと判断した場合（Ｎｏ）には、ステップＳ４に進む。ここで、サイクル数のカウント値の初期化要求があったと判断した場合には、ディスプレイ２１には、図１１に示すような表示がされる。例えば、ディスプレイ２１の所定の領域２１ｄには、「初期化すると、今までの履歴が消えてしまいます。本当に良いですか？」等の表示を行い、使用者に対して注意を喚起する。
【００５４】
ステップＳ４において、システムＩＣ６４は、サイクル数のカウント値の保持処理を行う。サイクル数のカウント値の保持処理を終了後にステップＳ７に進む。
【００５５】
ステップＳ５において、システムＩＣ６４は、メモリ６３の第３の領域６３Ｃにサイクル数のカウント値を加算する。ここで、メモリ６３の第３の領域６３Ｃに記憶していた前回までの値に、サイクル数のカウント値を加算した場合には、ディスプレイ２１には、図１２に示すような表示がされる。つまり、ステップＳ５においては、メモリ６３の第２の領域６３Ｂに保持していたサイクル数のカウント値を第３の領域６３Ｃに複写することとなる。例えば、ピクト表示２１ｂを満了状態の表示にし、文字表示領域２１ｃに「残り５００回」なる文字表示を行う。
【００５６】
ステップＳ６において、システムＩＣ６４は、メモリ６３の第２の領域６３Ｂのサイクル数のカウント値を初期化する。なお、上述したように、メモリ６３の第３の領域６３Ｃに記憶されているサイクル数のカウント値は、使用者の操作によって消去されずに残るため、充電池３２の電池寿命は、正確にカウントされ続けることになる。
【００５７】
ステップＳ７において、システムＩＣ６４は、充電器１００が電気的に接続されたか否かを判断する。充電器１００に電気的に接続されていると判断した場合（Ｙｅｓ）には、ステップＳ１１に進み、充電器１００に電気的に接続されていないと判断した場合（Ｎｏ）には、ステップＳ８に進む。
【００５８】
ステップＳ８において、システムＩＣ６４は、主電源をＯＦＦ状態にする要求がされたか否かを判断する。主電源をＯＦＦ状態にする要求がされたと判断した場合（Ｙｅｓ）には、ステップＳ９に進み、主電源をＯＦＦ状態にする要求がされていないと判断した場合（Ｎｏ）には、ステップＳ７に進む。
【００５９】
ステップＳ９において、システムＩＣ６４は、充電池３２の電池電圧を確認する。なお、充電池３２の電池電圧の確認は、後述するステップＳ１２の工程と同様の方法により行っても良い。
【００６０】
ステップＳ１０において、システムＩＣ６４は、充電池３２の電池電圧をメモリ６３に記録後、主電源をＯＦＦにする。
【００６１】
ステップＳ１１において、システムＩＣ６４は、充電器１００に接続された直後の充電池３２の電池電圧を確認する。
【００６２】
ステップＳ１２において、システムＩＣ６４は、図５にしたがって決定される第１の重み付け係数Ｘを加味して、放電時の劣化率の算出を行う。
【００６３】
ステップＳ１３において、システムＩＣ６４は、ステップＳ１２の工程により算出された放電時の劣化率をメモリ６３に記憶する。
【００６４】
ステップＳ１４において、システムＩＣ６４は、充電器１００から電気的に取り外されたか否かを判断する。充電器１００から電気的に取り外されたと判断した場合（Ｙｅｓ）には、ステップＳ１５に進み、充電器１００から電気的に取り外されていないと判断した場合（Ｎｏ）には、ステップＳ１４を繰り返す。
【００６５】
ステップＳ１５において、システムＩＣ６４は、充電器１００から取り外された直後の充電池３２の電池電圧を確認する。
【００６６】
ステップＳ１６において、システムＩＣ６４は、図６にしたがって決定された第２の重み付け係数Ｙを加味して、充電時の劣化率を算出する。
【００６７】
ステップＳ１７において、システムＩＣ６４は、ステップＳ１６の工程により算出された充電時の劣化率をメモリ６３に記憶する。
【００６８】
ステップＳ１８において、システムＩＣ６４は、劣化状態（電池寿命）に関する情報をディスプレイ２１や音声出力部２２を利用して使用者に報知する。ここで、ディスプレイ２１には、図１３に示すような表示がされる。
【００６９】
ステップＳ１９において、システムＩＣ６４は、サイクル数のカウント値（電池寿命の回数）が所定値（例えば、５００回）を超えたか否かを判断する。サイクル数のカウント値が所定値を超えていると判断した場合（Ｙｅｓ）には、ステップＳ２０に進み、サイクル数のカウント値が所定値を超えていないと判断した場合（Ｎｏ）には、ステップＳ７に戻る。
【００７０】
ステップＳ２０において、システムＩＣ６４は、使用者に対し、ディスプレイ２１や音声出力部２２を利用して、充電池３２の交換等を促す報知を行う。ここで、ディスプレイ２１には、充電池３２の交換を促す表示として、例えば、図１４に示すように、正確かつ明確に電池寿命を示すピクト表示２１ｂを点滅表示させ、ピクト表示２１ｂ中に「交換」なる文字を点滅表示させることで、使用者に対して、充電池３２の交換時期が到来したことを喚起する。
【００７１】
このようにして、本発明に係る携帯電話装置１では、充電池３２が満充電状態になる前に充電器１００から取り除かれたり、充電池３２が満充電付近の状態で充電器１００に接続されたりした場合においても、正確に充電池３２の寿命を測定し、また、使用者に対して明確に電池寿命を報知するので、従来の方法（インピーダンス等を測定したり、電流を測定するような方法）と異なり、ハードウェアの構成を変更することなく、ソフトウェア的な制御により対応することができるため、簡易な構成により、コストの増大を伴わずに、電池の寿命を正確かつ明確に使用者に報知することができる。
【００７２】
また、本発明によれば、電池寿命を正確かつ明確に認識させることができるので、使用者自身に充電池の寿命を判断させることがなく、使用上の快適さを向上させることができる。
【００７３】
また、本発明によれば、充電池３２の寿命時期を超えて使用された結果、例えば、充電池の破損や突然の電源断によるデータの消失等を回避することができ、使用上の快適さを向上させることができる。
【００７４】
すなわち、使用者の判断により、充電池３２のもち（充電・放電能力）が悪くなったとしてショップに携帯電話装置１が持ち込まれた際に、メモリ６３の第３の領域６３Ｃを参照することにより、充電池３２の不良により、充電池３２のもちが悪くなったのか、それとも充電・放電回数が多いために電池能力が低下してきたのかを判別することができる。
【００７５】
また、本実施例では、充電・放電のサイクル回数のカウント値をメモリ６３に記憶する構成を示したが、特に本実施例に限定されず、例えば、充電池３２がメモリ領域を有する構成であれば、当該充電池３２のメモリにも充電・放電のサイクル回数のカウント値を随時複写するようにしても良い。このような構成の場合には、ショップに充電池３２のみが持ち込まれた場合であっても、当該充電池３２のメモリを参照することにより、使用状態を判別することが可能となる。
【００７６】
また、本発明によれば、使用者より充電池３２の充電・放電のサイクル数のカウント値が初期化される操作が行われた場合であっても、メモリ６３の第３の領域６３Ｃに記憶されている充電池３２の充電・放電のサイクル数のカウント値は消去されないため、万が一、使用者が虚偽の報告をした際も、これを回避し、適切な対応が可能となる。
【００７７】
また、本発明によれば、使用者の操作によっても、メモリ６３の第３の領域６３Ｃに記憶されている充電池３２の充電・放電のサイクル数のカウント値は消去されないため、使用者が誤って第２の領域６３Ｂに記憶されている情報を初期化してしまったような場合であっても、ショップ（事業者側）等に持ち込み、第３の領域６３Ｃから第２の領域６３Ｂに当該カウント値を複写することにより、サイクル数のカウント値の履歴を復活させることが可能となる。
【００７８】
また、本発明によれば、サイクル数のカウント値という情報のみで充電池３２の交換時期を使用者に報知するので、使用者に対して、明確に充電池３２の交換時期を認識させることができる。
【００７９】
また、本発明によれば、充電池３２が固有のＩＤを持つことで、対象となる充電池のサイクル数のカウント値を正しく管理することが可能となり、複数の充電池３２所有した場合でも、充電・放電のサイクル数のカウント値に対し、それぞれ固有の管理が可能となる。
【図面の簡単な説明】
【００８０】
【図１】本発明に係る携帯電話装置の外観を示す斜視図である。
【図２】本発明に係る携帯電話装置に備えられている操作部側筐体部の構成を示す斜視図である。
【図３】充電池のサイクル回数と放電容量率の関係を示す図である。
【図４】本発明に係る携帯電話装置の機能を示すブロック図である。
【図５】第１の重み付け係数を決定する際に利用する放電電圧と容量率の関係を示す図である。
【図６】第２の重み付け係数を決定する際に利用する充電電圧と充電率の関係を示す図である。
【図７】充電池の電池寿命の回数をカウントする際の説明に供する図である。
【図８】充電池による充電・放電のサイクル回数のカウント方法及び電池寿命の報知方法についての説明に供する第１のフローチャートである。
【図９】充電池による充電・放電のサイクル回数のカウント方法及び電池寿命の報知方法についての説明に供する第２のフローチャートである。
【図１０】初期設定の確認を行う際にディスプレイに表示される表示画面の様子を示す図である。
【図１１】サイクルカウントの初期化要求があったと判断した場合にディスプレイに表示される表示画面の様子を示す図である。
【図１２】第３の領域にサイクルカウント数を加算した場合にディスプレイに表示される表示画面の様子を示す図である。に表示される様子を示す図である。
【図１３】劣化状態（電池寿命）に関する情報がディスプレイに表示されるときの様子を示す図である。
【図１４】充電池の交換を促す情報がディスプレイに表示されるときの様子を示す図である。
【符号の説明】
【００８１】
１  携帯電話装置
１１  操作キー群
２１  ディスプレイ（報知部）
２２  音声出力部（報知部）
３２  充電池
６０  送受信処理ブロック
６１  外部電源接続部
６２  スイッチ部
６３  メモリ
６４  システムＩＣ（制御部、電圧測定部）
７０  メインアンテナ
１００  充電器
【図１】
0005103162.tif 000002
【図２】
0005103162.tif 000003
【図３】
0005103162.tif 000004
【図４】
0005103162.tif 000005
【図５】
0005103162.tif 000006
【図６】
0005103162.tif 000007
【図７】
0005103162.tif 000008
【図８】
0005103162.tif 000009
【図９】
0005103162.tif 000010
【図１０】
0005103162.tif 000011
【図１１】
0005103162.tif 000012
【図１２】
0005103162.tif 000013
【図１３】
0005103162.tif 000014
【図１４】
0005103162.tif 000015